(57)【要約】【課題】各種の機器を容易に設置することができ低コスト化も図れる天井パネルを備えた天井構造を提供すること。【解決手段】壁パネル１２ａ等の上端縁部に組み付けられることにより天井部２０を構成する天井パネル２０ｃに機器を設置して固定するための係合凹部２３を天井パネル２０ｃの上面に天井パネル２０ｃと一体的に形成した。天井パネル３０ｃの上面に係合突起３３ａ，３３ｂを形成した。さらに、天井パネル４０ｃの上面から下面との間を貫通する係合穴部４３を設けた。また、天井パネル２０ｃ等をブロー成形により形成され内部に空間部２４等が形成された中空成形体で構成した。【選択図】  図２
2004244884.tif 000002
【特許請求の範囲】
【請求項１】
壁パネルの上端縁部に組み付けられることにより天井部を構成する天井パネルを備えた天井構造であって、前記天井パネルに所定の機器を設置して固定するための設置用固定部が前記天井パネルと一体成形により形成されていることを特徴とする天井構造。
【請求項２】
前記設置用固定部を、前記天井パネルの上面に形成され前記機器と係合可能な係合凹部で構成した請求項１に記載の天井構造。
【請求項３】
前記設置用固定部を、前記天井パネルの上面に形成され前記機器と係合可能な係合突起で構成した請求項１に記載の天井構造。
【請求項４】
前記設置用固定部を、前記天井パネルの上面から下面との間を貫通して形成され前記機器と係合可能な係合穴部で構成した請求項１に記載の天井構造。
【請求項５】
前記天井パネルがブロー成形により成形された中空成形体で構成されている請求項１ないし４のうちのいずれか一つに記載の天井構造。
【発明の詳細な説明】
【０００１】
【発明の属する技術分野】
本発明は、壁パネルの上端縁部に組み付けられて天井部を構成する天井パネルを備えた天井構造に関する。
【０００２】
【従来の技術】
従来から、例えば、ユニット型の浴室は、四角形の床パネルの各縁部に四つの壁パネルを組み付けるとともに、壁パネルの上端縁部に天井パネルを組み付けて箱状に形成されている。このような浴室が備える天井構造の中には、天井パネルの上面に、コントローラ、電源装置、換気扇等の各種の機器を設置するための設置部が設けられているものがある（例えば、特許文献１）。この場合、天井部に設置される所定の機器は、ねじ等の固着具によって天井パネルの上面に設けられた設置部に固定されている。また、天井パネルにおける設置部の近傍には点検用の開口部が設けられており、この開口部には、開閉可能な点検蓋が取り付けられている。
【０００３】
【特許文献１】
特開２００２−２１３４９号公報
【０００４】
【発明が解決しようとする課題】
しかしながら、前述した従来の天井構造では、設置部に設置する所定の機器をねじ等の部材を用いて固定しているため、設置作業が面倒であるという問題がある。また、固定するための部材点数が多くコストが高くなるという問題もある。
【０００５】
【発明の概要】
本発明は、上記問題に対処するためになされたもので、その目的は、所定の機器を容易に設置することができ低コスト化も図れる天井パネルを備えた天井構造を提供することである。
【０００６】
上記の目的を達成するため、本発明にかかる天井構造の構成上の特徴は、壁パネルの上端縁部に組み付けられることにより天井部を構成する天井パネルを備えた天井構造であって、天井パネルに所定の機器を設置して固定するための設置用固定部が天井パネルと一体成形により形成されていることにある。
【０００７】
前記のように構成した本発明に係る天井構造によれば、所定の機器を設置して固定するための設置用固定部を天井パネルと一体成形によって形成している。したがって、天井パネルを壁パネル等に組み付けたのちに、機器を天井パネルに設置する際、機器を設置用固定部に係合させて取り付けるだけで済む。このため、従来例のようなねじ等の固着具で機器を天井パネルに固着する作業が不要になり、機器の設置作業が容易になる。また、ねじ等の部材が不要となり低コスト化も図れる。
【０００８】
また、本発明にかかる天井構造の他の構成上の特徴は、設置用固定部を、天井パネルの上面に形成され機器と係合可能な係合凹部で構成したことにある。これによると、係合凹部内に所定の機器を差し込むだけでその機器の設置ができ、設置作業が容易になる。また、設置した機器を天井パネルから取り外す際には、機器を上方に引っ張るだけで天井パネルから取り外すことができるため取り外しの作業も容易になる。
【０００９】
また、本発明にかかる天井構造のさらに他の構成上の特徴は、設置用固定部を、天井パネルの上面に形成され機器と係合可能な係合突起で構成したことにある。この場合の係合突起としては、機器の両側を挟んだ状態で固定することのできる一対の突起や、機器の四隅を支持した状態で固定することのできる突起等を用いることができる。これによっても、機器の天井パネルへの設置や取り外しの作業が容易になる。
【００１０】
また、本発明にかかる天井構造のさらに他の構成上の特徴は、設置用固定部を、天井パネルの上面から下面との間を貫通して形成され機器と係合可能な係合穴部で構成したことにある。これによると、例えば、天井面から室内側に露呈させて設置する必要がある換気扇等の機器を天井パネルに設置することができる。この場合の設置用固定部を備えた天井パネルが設けられる室としては、浴室やトイレ等が好ましい。
【００１１】
また、本発明にかかる天井構造のさらに他の構成上の特徴は、天井パネルがブロー成形（中空成形）により成形された中空成形体で構成されていることにある。これによると、設置用固定部を形成するために天井パネルの厚みが大きくなっても内部を中空にすることができるため、必要以上の成形用材料を使用することがなくなる。これによって、材料の節約と天井パネルの製造の低コスト化が図れる。また、ブロー成形によるため天井パネルや設置用固定部を複雑な形状に形成することができる。
【００１２】
【発明の実施の形態】
以下、本発明の一実施形態を図面を用いて説明する。図１は同実施形態に係る天井構造を備えた浴室１０を示している。この浴室１０は、パネル等によって四角箱状に形成されており、床パン１１、壁パネル１２ａ，１２ｂ，１２ｃおよび天井部２０を備えている。そして、壁パネル１２ａ，１２ｃ間における図示の手前側にも、壁パネル（図示せず）が設けられており、この壁パネルに開閉式のドアからなる出入り口が設けられている。また、壁パネル１２ａの中央部には、窓１３が設けられている。
【００１３】
床パン１１における壁パネル１２ａ側部分には、浴槽１４が前後方向（壁パネル１２ａの表面に沿った方向）に長くなるように配置されている。そして、浴槽１４の周縁部上面における後方右側部分に、浴槽１４に湯や水を供給するための水栓１４ａが設けられている。また、壁パネル１２ｂの右側部分には、浴槽１４の上端縁部と略等しい高さに設定されたカウンター１５が設けられ、壁パネル１２ｂにおけるカウンター１５の上方部分に洗面用具や入浴用具を収容するための収容棚１６と鏡１７とが横に並んで取り付けられている。
【００１４】
そして、収容棚１６と鏡１７の上方には、下方に位置するカウンター１５の近傍を照明するための照明装置１８が設けられている。これらの収容棚１６、鏡１７および照明装置１８は一体的に構成されてパネル状に形成されている。また、カウンター１５と鏡１７との間にはカウンター１５で使用する湯や水を供給するための水栓１５ａが設けられている。そして、前記パネルにおける鏡１７の左側部分には、シャワー（図示せず）が保持部材を介して着脱自在に取り付けられている。このシャワーの根元部分は水栓１５ａに通じており、切替弁を切り換えることにより水栓１５ａとシャワーとを選択して使用できるようになっている。
【００１５】
天井部２０は、前方から後方に向って中央部が高くなるように湾曲した略ドーム形に形成されており、３個の天井パネル２０ａ，２０ｂ，２０ｃを組み付けて構成されている。壁パネル１２ａ側に取り付けられた天井パネル２０ａの高さは、天井パネル２０ｂ，２０ｃの高さよりも高くなるように設定され、天井パネル２０ａと天井パネル２０ｂとの間には段差が形成されている。
【００１６】
そして、天井パネル２０ｂの中央部には点検用の開口部２１が設けられ、その開口部２１に点検蓋２２が着脱可能に取り付けられている。この点検蓋２２を上方に押し上げることにより、図２に示したように、開口部２１を開くことができる。また、点検蓋２２を押し上げて開口部２１を開いた状態から、点検蓋２２を下げて開口部２１に位置決めすることにより、点検蓋２２が開口部２１の周縁部に係合して開口部２１を閉塞する。
【００１７】
また、天井パネル２０ｃの上面には、本発明の設置用固定部としての係合凹部２３が設けられている。この係合凹部２３は、図２および図３に示したように平面視四角形の凹部で構成されており、この係合凹部２３の底面部は平面状に形成されている。この係合凹部２３には、例えば、浴室１０内の各器具に電気を供給するための電源装置（図示せず）を設置することができ、その場合、係合凹部２３は、設置する電源装置の周側下端部が係合できる大きさおよび形状に設定される。
【００１８】
係合凹部２３は、天井パネル２０ｃとブロー成形による一体成形により形成されており、肉厚部分の内部に図３に示した空間部２４が形成されている。また、天井パネル２０ａ，２０ｂもブロー成形によって成形されており、それぞれの肉厚部分の内部には空間部２４と同様の空間部が形成されている。
【００１９】
そして、電源装置を天井パネル２０ｃに設置する場合には、電源装置を係合凹部２３内に差し込むだけで完了する。また、電源装置の点検作業や修理等を行う場合には、点検蓋２２を開けて、体を開口部２１から天井パネル２０ｂの上面側に入れた状態で作業を行う。さらに、故障等により、電源装置を天井パネル２０ｃから取り外す必要が生じた場合には、同様にして開口部２１を開けて、体を開口部２１から天井パネル２０ｂの上面側に入れて電源装置を持ち上げることにより係合凹部２３から取り外す。
【００２０】
このように、本実施形態の天井構造によれば、電源装置を係合凹部２３に差し込むだけで電源装置の設置ができるため、電源装置の設置作業が極めて容易になる。また、電源装置を取り外す際の取り外し作業も極めて容易になる。
【００２１】
また、図４および図５は、本発明の他の実施形態による天井構造が備える天井パネル３０ｃと天井パネル３０ｃの上面に形成された一対の係合突部３３ａ，３３ｂを示している。この天井パネル３０ｃでは、機器が設置される部分に平面状の台部３１が形成され、その台部３１の両側縁部に一対の係合突起３３ａ，３３ｂが対向して設けられている。この係合突起３３ａ，３３ｂの間隔は、天井パネル３０ｃの上面に設置される機器の幅と略等しく設定されている。
【００２２】
また、この天井パネル３０ｃでは、台部３１および係合突部３３ａ，３３ｂが形成される部分が肉厚になっているため、空間部３４は台部３１および係合突部３３ａ，３３ｂの下部側にも形成されている。この天井パネル３０ｃを備えた天井構造のそれ以外の部分の構成については、前述した実施形態の天井構造と同一である。したがって、同一部分に同一符号を記している。また、この天井構造では、天井パネル３０ｃの上面に平面状の台部３１を設けたため、天井パネル３０ｃがドーム状に形成されていても機器を安定した状態で設置することができる。また、この台部３１は、ドーム天井を構成する天井パネルのどの位置でも設置可能である。この実施形態による天井構造のそれ以外の作用効果については前述した実施形態の天井構造と同様である。
【００２３】
また、図６および図７は、本発明のさらに他の実施形態による天井構造が備える天井パネル４０ｃと天井パネル４０ｃに形成された係合穴部４３を示している。この天井パネル４０ｃには換気扇（図示せず）が設置されるようになっており、換気扇が取り付けられる部分に四角状の係合穴部４３が設けられている。この係合穴部４３は、換気扇の下端部が係合できる形状および大きさに設定されており、換気扇を係合穴部４３の上方に位置させた状態から下降させると換気扇は係合穴部４３に係合するように形成されている。また、天井パネル４０ｃの内部には、天井パネル２０ｃの空間部２４と同様の空間部４４が形成されている。
【００２４】
この場合、換気扇は、ファン側を浴室１０内に向けた状態で取り付けられ、作動することにより、浴室１０内を吸気して、天井パネル４０ｃの上面側に設けられたダクト（図示せず）を介して、外部に排気する。この天井パネル４０ｃを備えた天井構造のそれ以外の部分の構成については、前述した各実施形態の天井構造と同一である。したがって、同一部分に同一符号を記している。また、この実施形態の前述した作用効果以外の作用効果については前述した各実施形態の作用効果と同様である。
【００２５】
また、本発明による天井構造は、前述した各実施形態以外についても技術的範囲内で適宜変更実施が可能である。例えば、係合凹部は、前述した四角形の凹部に限らず、設置される機器の形状に応じて適宜変更可能である。また係合突部も前述した一対の突部に限らず、機器の四隅を固定できる４個の突起で構成したり、機器の底部に突起や凹部等があればその突起を挟持できる突起や凹部と係合可能な突起等で構成したりすることもできる。さらに係合穴部も四角形に限らず円形や三角形等機器の形状に応じて変更することができる。
【００２６】
また、前述した各実施形態では、天井パネル２０ｂに開口部２１を設け、天井パネル２０ｃ等に係合凹部２３等の設置用固定部を設けているが、この設置用固定部は、開口部２１に並べて天井パネル２０ｂに設けることもできる。さらに、天井パネル２０ｂ，２０ｃを一体からなる成形体で構成することもできる。また、本発明にかかる天井構造が設けられる天井部２０もドーム形に限らず、フラットな形状の天井部でも良いし、さらに、浴室１０の天井部２０に限らず、トイレの天井部やその他、所定の機器が取り付けられる天井部であればどのような室の天井部でもよい。
【図面の簡単な説明】
【図１】本発明の一実施形態による天井構造を備えた浴室の内部を示す斜視図である。
【図２】天井パネルに設けられた開口部と係合凹部を示す斜視図である。
【図３】図２の３−３断面図である。
【図４】天井パネルに設けられた開口部と係合突部を示す斜視図である。
【図５】図４の５−５断面図である。
【図６】天井パネルに設けられた開口部と係合穴部を示す斜視図である。
【図７】図６の７−７断面図である。
【符号の説明】
１２ａ，１２ｂ，１２ｃ…壁パネル、２０…天井部、２０ａ，２０ｂ，２０ｃ，３０ｃ，４０ｃ…天井パネル、２３…係合凹部、２４，３４，４４…空間部、３３ａ，３３ｂ…係合突部、４３…係合穴部。
【図１】
2004244884.tif 000003
【図２】
2004244884.tif 000004
【図３】
2004244884.tif 000005
【図４】
2004244884.tif 000006
【図５】
2004244884.tif 000007
【図６】
2004244884.tif 000008
【図７】
2004244884.tif 000009